(57)【特許請求の範囲】
【請求項１】
１つの送信回路から１つの超音波振動子に発振信号を印加して、前記超音波振動子から超音波を水中に照射し、水中からの反射波を受信して表示装置で表示するようにした魚群探知機において、前記超音波振動子で受信した水中からの反射波信号を深度範囲をあらかじめ設定できる第１の深度設定回路を設けた第１の受信回路と深度を自動設定される第２の深度設定回路を設けた第２の受信回路で受信し、前記第１、第２の受信回路でそれぞれ増幅した反射エコー信号を第１、第２のＡ／Ｄ変換器でそれぞれデシタルエコー信号に変換し、該デジタルエコー信号をそれぞれ第１、第２のメモリで記憶し、制御装置で前記第１、第２のメモリのいずれかに記憶されているデジタルエコー信号から湖底検出回路で第１反射波の湖底デジタルエコー信号を検出し、２次（３次）演算回路で前記湖底デジタルエコー信号から２次（３次）反射波信号を検出できる倍数信号を演算して前記第２の深度設定回路に入力することにより、前記第２の深度設定回路によって前記第２の受信回路で受信される深度を自動的に設定して前記超音波振動子からの反射波信号から設定された深度範囲のデジタルエコー信号を前記第２のメモリに記憶し、前記制御装置で前記第１、第２のメモリに記憶されたデジタル信号をそれぞれ読み出して表示装置の１つの画面を２つに分割し、それぞれの深度範囲で表示することを特徴とする魚群探知機。
【請求項２】
前記第１、第２の深度設定回路は感度設定回路を内蔵していることを特徴とする請求項１記載の魚群探知機。
【発明の詳細な説明】
【０００１】
【産業上の利用分野】
本発明は、１周波数の超音波を水中に発射することにより、深度に応じて水中の魚や湖底等をそれぞれ２つに分けて表示するようにした魚群探知機に関するものである。
【０００２】
【従来の技術】
近年、スポーツフィッシングとして盛んになっているブラックバス釣りにおいては、ブラックバスが硬質の湖底に生息していることが多いので、湖底の硬軟等の判別が重要な情報となるが、従来の単周波魚群探知機や２周波並画式魚群探知機では、水中情報、すなわち水面から湖底までの情報の表示に重きが置かれていた。
【０００３】
【発明が解決しようとする課題】
ところで、超音波を湖底に向けて発射した場合、軟質の湖底では、超音波の反射が小さいので、余程感度を良くしても、超音波の第２及び第３反射波を表示することは難しいが、硬質の湖底に向けて超音波を発射した場合には、超音波の反射波が大きいので、第２及び第３反射波を表示することができる。
【０００４】
しかしながら、従来の２周波並画式魚群探知機で超音波の第２及び第３反射波を表示して湖底の状況を詳しく知りたい場合があったとしても、湖底からの第２反射及び第３反射波まで見るために深度レンジを深くすると、水面から湖底までの画像が圧縮され、水中の状態や魚の映像が見にくくなり、又、画面をシフトして第２及び第３反射波を中心にして表示すると、水中や魚の映像が画面からはみだしてしまい、従って、水中の状態及び湖底の状態を同時に見ることができないという欠点があった。
【０００５】
【課題を解決するための手段】
本発明は、１つの送信回路から１つの超音波振動子に発振信号を印加して、前記超音波振動子から超音波を水中に照射し、水中からの反射波を受信して表示装置で表示するようにした魚群探知機において、前記超音波振動子で受信した水中からの反射波信号を深度範囲をあらかじめ設定できる第１の深度設定回路を設けた第１の受信回路と深度を自動設定される第２の深度設定回路を設けた第２の受信回路で受信し、前記第１、第２の受信回路でそれぞれ増幅した反射エコー信号を第１、第２のＡ／Ｄ変換器でそれぞれデシタルエコー信号に変換し、該デジタルエコー信号をそれぞれ第１、第２のメモリで記憶し、制御装置で前記第１、第２のメモリのいずれかに記憶されているデジタルエコー信号から湖底検出回路で第１反射波の湖底デジタルエコー信号を検出し、２次（３次）演算回路で前記湖底デジタルエコー信号から２次（３次）反射波信号を検出できる倍数信号を演算して前記第２の深度設定回路に入力することにより、前記第２の深度設定回路によって前記第２の受信回路で受信される深度を自動的に設定して前記超音波振動子からの反射波信号から設定された深度範囲のデジタルエコー信号を前記第２のメモリに記憶し、前記制御装置で前記第１、第２のメモリに記憶されたデジタル信号をそれぞれ読み出して表示装置の１つの画面を２つに分割し、それぞれの深度範囲で表示するものである。
【０００６】
【作用】
本発明では、１つの周波数の超音波を水中に発射し、その反射エコーを１つの超音波振動子で受信し、この超音波振動子からの反射エコー信号を深度範囲をあらかじめ設定できる第１の深度設定回路によって通常の深度範囲を設定し、第２の深度設定回路では適宜深度をあらかじめ設定して、それぞれ第１、第２の受信回路で設定された深度範囲で反射エコー信号を受信してそれぞれ増幅し、第１、第２の受信回路でそれぞれ増幅された反射エコー信号を第１、第２のＡ／Ｄ変換器でそれぞれデジタルエコー信号に変換して、第１、第２のメモリにそれぞれ記憶させ、制御装置で第１、第２のメモリのいずれかに記憶された信号を読み出して、湖底検出回路で湖底デジタルエコー信号を検出し、この湖底デジタルエコー信号によって２次（３次）演算回路で２次（３次）反射波信号を検出できる倍数信号を演算して前記第２の深度設定回路に入力して深度を設定することにより、第２の深度設定回路で設定された深度範囲のデジタルエコー信号を前記第２のメモリに記憶し、制御装置で第１、第２のメモリに記憶された信号を読み出して、１つの表示装置の表示画面を分割して並画することにより、一方の画面では水面から湖底までの範囲を表示し、他方の画面では、超音波の２次又は３次反射波までを表示することにより、水中におけるブラックバスの生息と判断する湖底の硬質及び軟質の状態を同時に表示できる。
【０００７】
【実施例】
図１は、本発明の１実施例の魚群探知機のブロック図で、送信回路１は超音波振動子２が接続されるとともに、第１、第２の受信回路３、４の入力端子に接続され、第１受信回路３にはあらかじめ通常の水中の深度が設定でき、適宜感度が設定される感度設定回路を内蔵した第１の深度設定回路５が接続され、第２の受信回路４には適宜深度範囲が設定でき、適宜感度が設定される感度設定回路を内蔵した第２の深度設定回路６が接続され、又、第１、第２の受信回路３、４の出力端子には、第１、第２のＡ／Ｄ変換器７、８の入力端子が接続され、さらに、第１、第２のＡ／Ｄ変換器７、８の出力端子には、第１、第２のメモリ９、１０が接続され、又、第１、第２のメモリ９、１０に制御装置１１が接続され、さらに、制御装置１１に表示装置１２が接続され、又、制御装置１１には、第１、第２のメモリ９、１０のいずれかから読み出されたデジタルエコー信号から湖底デジタルエコー信号を検出できる湖底検出回路１３が接続され、この湖底検出回路１３に２次（３次）反射波信号を検出できる倍数信号を演算する２次（３次）演算回路１４が接続され、さらに、２次（３次）演算回路１４で演算された信号は第２の深度設定回路６に入力されて深度が自動的に設定される。
【０００８】
このように構成された本実施例の魚群探知機では、送信回路１からの１つの周波数の信号が超音波振動子２に印加されると、水中及び湖底の反射エコーが超音波振動子２で受信され、この超音波振動子２からの反射エコー信号は第１、第２の受信回路３、４に入力される。
【０００９】
ここで、第１の深度設定回路５は通常の水中深度をあらかじめ設定するように構成されているので、第１の受信回路３には、超音波振動子２から水面から湖底までの反射エコー信号が入力され、第１の受信回路３で受信されて増幅された反射エコー信号は、Ａ／Ｄ変換器７でデジタルエコー信号に変換されて第１のメモリ９に記憶される。
【００１０】
そこで、第１のメモリ９に記憶されたデジタルエコー信号がＣＰＵからなる制御装置１１で読み出されることにより、このデジタルエコー信号から湖底検出回路１３で湖底デジタルエコー信号が検出され、この湖底デジタル信号が２次（３次）演算回路１４に入力されて２次（３次）反射信号を検出できる倍数信号を演算し、この倍数信号を第２の深度設定回路６に入力することにより、第２の深度設定回路６は、第２の受信回路４で超音波振動子２から入力される反射エコー信号の湖底反射信号から後の２次又は３次反までの射信号を受信できる深度に自動的に設定し、第２の受信回路４で受信されて増幅された反射エコー信号は第２のＡ／Ｄ変換器８でデジタルエコー信号に変換され、第２のメモリ１０に記憶される。
【００１１】
そして、制御装置１１で第１、第２のメモリ９、１０から順次読み出されたデジタルエコー信号は、図２に示すように、表示装置１２の画面１５が２つの画面１５ａと１５ｂに分割されて表示され、この分割された画面１５ａには、第１の深度設定回路５で設定されるように、水面１６ａから湖底１６ｂまでの水中の状態が表示され、又、分割された画面１５ｂには、第２の深度設定回路６で設定されるように、水面１７ａと１次反射波の湖底１７ｂの外に、第２反射波による湖底１７ｃ及び第３反射波による湖底１７ｄが表示され、従って、この湖底１７ｃ及び湖底１７ｄが表示される所は硬質の湖底で、２次まで３次反射波が表示されない部分は軟質の湖底であると見なすことができる。
【００１２】
このように、本発明では、第１のメモリ９に記憶されたデジタルエコー信号を制御装置１１で読み出し、湖底検出回路１３で湖底デジタルエコー信号を検出し、２次（３次）演算回路１４で２次（３次）反射信号を検出できる倍数信号を演算し、この倍数信号を第２の深度設定回路６に入力することにより、第２の受信回路４で自動的に深度を設定することができ、さらに、１つの表示装置１２の画面１５を表示画面１５ａ及び１５ｂに分割して表示するようにしたので、表示画面１５ａには通常画像で水中情報を確認することができ、表示画面１５ｂには湖底の第２、第３反射エコー信号まで表示することによって第２、第３反射エコー信号が表示された部分が硬質の湖底であることから常に湖底の硬軟の状態を判別することができる。
【００１３】
なお、上記実施例の説明では、第１の深度設定回路５により水面から湖底までの深度を設定することによって第１の受信回路３により増幅され、第１のメモリ９に記憶されたデジタルエコー信号から湖底検出回路１３で湖底デジタルエコー信号を検出するようにしたが、第２の深度設定回路６で通常の水中の深度を設定し、第２の受信回路４より超音波振動子２から入力された超音波エコー信号を増幅して、Ａ／Ｄ変換器８でデジタルエコー信号に変換して第２のメモリ１０に記憶し、第２のメモリ１０から制御装置１１でデジタルエコー信号を読み出して湖底検出回路１３で湖底デジタルエコー信号を検出し、この湖底デジタルエコー信号を２次（３次）演算回路１４に入力して２次（３次）反射エコー信号を検出できる倍数信号を演算し、この倍数信号を深度設定回路５に入力することにより、深度設定回路５で自動的に２次（３次）反射エコー信号を検出できる深度を設定し、第１の受信回路３で２次（３次）反射エコー信号を検出してＡ／Ｄ変換器７でデジタルエコー信号に変換して第１のメモリ９に記憶し、制御装置１１で第１、第２のメモリ９、１０からデジタルエコー信号を順次読み出すようにしても良い。
【００１５】
【発明の効果】
以上説明したように、本発明の魚群探知機では、１つの超音波による反射エコー信号の深度が設定された第１又は第２の深度設定回路で水面から湖底までの通常の深度を設定し、この設定した深度によって検出されたデジタルエコー信号より湖底検出回路で湖底デジタルエコー信号を検出し、この湖底デジタルエコー信号から２次（３次）演算回路で２次（３次）反射エコー信号が検出できる倍数信号を演算することによって、演算された倍数信号で第２の深度設定回路の深度を自動的に設定することにより、第１、第２の深度設定回路によって設定されたそれぞれの深度に応じて検出されたデジタルエコー信号を１つの表示装置の表示画面を２つに分割して表示し、一方の分割画面には通常画像を表示して水中情報を確認することができるとともに、他方の分割画面では、湖底の第２、第３反射エコー信号までを表示することによって、第２、第３反射エコー信号が表示された部分が硬質の湖底であることから常に湖底の硬軟の状態を判別することができるという利点がある。
【図面の簡単な説明】
【図１】本発明の１実施例の魚群探知機のブロック図である。
【図２】図１の表示装置の表示画面を示した図である。
【符号の説明】
１                        送信回路
２                        超音波振動子
３                        第１の受信回路
４                        第２の受信回路
５                        第１の深度設定回路
６                        第２の深度設定回路
７                        第１のＡ／Ｄ変換器
８                        第２のＡ／Ｄ変換器
９                        第１のメモリ
１０                      第２のメモリ
１１                      制御装置
１２                      表示装置
１３                      湖底検出回路
１４                      ２次（３次）演算回路
【図１】
0003814734.tif 000002
【図２】
0003814734.tif 000003